(57)【要約】【課題】側臥位での休息あるいは睡眠時に胸部、腹部や腕部の圧迫感を与えず、側臥位姿勢の小変化に適合した快適な高さおよび間隔を持続的に安定して与え得る側臥位用抱き枕を提供すること。【解決手段】外形が略六面体状の側臥位用抱き枕１であって、該側臥位用抱き枕が少なくとも相交わる３辺の長さが異なる辺を有すると共に直方体状又は台形六面体状又は菱形六面体状又は菱形・台形六面体状に近似した形状体であり、該側臥位用抱き枕の外面部が少なくとも一時的に変形可能な柔軟材で構成されていることを特徴とする側臥位用抱き枕。【選択図】図５
2020124371.tif 000002
【特許請求の範囲】
【請求項１】
外形が略六面体状の側臥位用抱き枕であって、該側臥位用抱き枕が少なくとも相交わる３辺の長さが異なる辺を有すると共に直方体状又は台形六面体状又は菱形六面体状又は菱形・台形六面体状に近似した形状体であり、該側臥位用抱き枕の外面部が少なくとも一時的に変形可能な柔軟材で構成されていることを特徴とする側臥位用抱き枕。
【請求項２】
該側臥位用抱き枕の少なくとも相対向する２面に圧縮応力が作用するときに圧縮応力が作用しない面が外側方向に突出変形することを抑制する突出変形抑制手段を備えることを特徴とする請求項１に記載の側臥位用抱き枕。
【請求項３】
該側臥位用抱き枕が内部に流体を充填可能なバルーン体構造を有する第１側臥位用抱き枕又は所定の剛性を有する内部コア体と柔軟外面部との組合せ構造を有すると共に該所定の剛性を有する内部コア体と柔軟外面部の外形状が略相似形をなし更にそれぞれの相似する６対の面が互いに平行となる相対姿勢を有する第２側臥位用抱き枕又は該略六面体の８個の頂点の相対位置を少なくとも一時的に固定可能である少なくとも４個の棒状体を含み該棒状体の緩衝部材が付設された端部によって規定される８個の頂点位置を内包する柔軟性を有する膜体、布体、網体のいずれかである外面包容体の組合せ構造を含んで構成される第３側臥位用抱き枕又は所定の剛性を有する内部コア体と該所定の剛性を有する内部コア体を内包し柔軟性を有する膜体、布体、網体のいずれかである外面包容体と該所定の剛性を有する内部コア体の外面と該外面包容体の内面との間に充填される柔軟性を有するクッション材とを含んで構成される第４側臥位用抱き枕のいずれかであって、該第１側臥位用抱き枕に適用される突出変形抑制手段が３対の相対向する２面間を連結する少なくとも各１個の紐状あるいは帯状などの連結体である第１突出変形抑制手段であり、該第２側臥位用抱き枕の６個の所定の剛性を有する内部コア体外面とそのそれぞれに近接する柔軟外面部外面間をそれぞれ連結する少なくとも各１個の紐状あるいは帯状などの連結体である第２突出変形抑制手段、該柔軟外面部の１２個の辺および８個の頂点を該柔軟外面部の厚さに近い大きさの大面取りを設けると共に該所定の剛性を有する内部コア体の１２個の辺および８個の頂点に該大面取りの１／５以下の小面取りあるいは小Ｒ面取りを設ける第３突出変形抑制手段、該所定の剛性を有する内部コア体の８個のそれぞれの頂点に該柔軟外面部の外面に露出しない高さを有すると共に剛性を有する突起を設ける第４突出変形抑制手段のいずれかであり、該第３側臥位用抱き枕に適用される突出変形抑制手段が該外面包容体に通気性を付与させることである第５突出変形抑制手段であり、該第４側臥位用抱き枕に適用される突出変形抑制手段が６個の所定の剛性を有する内部コア体外面とそのそれぞれに近接する外面包容体の間を６個の面毎に仕切る仕切り部材を設ける第６突出変形抑制手段であることを特徴とする請求項２に記載の側臥位用抱き枕。
【請求項４】
該側臥位用抱き枕を把持し該側臥位用抱き枕の位置および姿勢を変更する把持部材を該側臥位用抱き枕の外面に少なくとも６個設けたことを特徴とする請求項１ないし３のいずれかに記載の側臥位用抱き枕。
【発明の詳細な説明】
【技術分野】
【０００１】
本発明は、人が片側の体側を下にして横たわる姿勢、すなわち側臥位の姿勢をとる場合に使用される抱き枕に関し、特に上側の腕の垂れ下がりおよび抱き枕自体による胸部や腹部の圧迫を低減可能な側臥位用抱き枕に関する。
【背景技術】
【０００２】
一般に、人が横たわる際の身体の体勢は仰臥位（背臥位）、側臥位、伏臥位（腹臥位）に大別される。仰臥位ではいびきをかき易い、睡眠時無呼吸症候群になり易い、呼吸が浅くなる、舌根沈下が起り易い、胸式呼吸優位になるなどとされている。伏臥位では舌根沈下が起り難い、気道確保のため頭部を動かす必要が生ずるなどとされている。側臥位ではいびきをかき難い、血中酸素濃度が下がり難いため認知症予防の効果がある、舌根沈下が起り難い、腹式呼吸優位になる、重心が高く支持面が狭いため不安定で姿勢が崩れ易いなどとされている。
【０００３】
側臥位では睡眠中に上側の腕が肩から垂れ下がり、胸部や腹部を圧迫して呼吸が苦しくなり、睡眠が浅くなることがある。側臥位の際に、上側の腕の垂れ下がりを防止すると共に側臥位の姿勢を安定して維持させるために抱き枕が用いられている。抱き枕を使用した場合、側臥位の上側の腕を抱き枕が支える状態となるため、側臥位の姿勢を安定して維持し易くなると共に肩が楽になる。又、上側の腕の垂れ下がりを防止することが出来るため胸の圧迫感も軽減される。妊娠中・後期では、胎児への負担を軽減するための妊婦の睡眠姿勢として、側臥位、シムスの体位が推奨されており、抱き枕の使用によりその姿勢を安定して持続できるとされている。
【０００４】
市販されている抱き枕の多くは図１７（特許文献１）に示すように略円柱形状である。他に図１８（特許文献２）に示すように略三角柱形状の抱き枕も知られている。
【０００５】
円形断面の抱き枕の場合、使用開始時（図１９）に比べ睡眠時の筋弛緩状態では図２０に示すように上側の腕がその重力で下がり抱き枕を扁平に変形させる。この扁平化変形の度合いは、該抱き枕の内部素材の縦弾性係数やポアソン比あるいは該抱き枕の外面包容体の縦弾性係数によって異なるが上下方向の圧縮変形に比例して水平方向に引張変形（突出変形）する。この水平方向の突出変形により該抱き枕が胸部あるいは腹部を圧迫（同図中Ｐ３）して、呼吸や心臓の活動などに影響を与える恐れが生ずる。又、同図に示すように上側の腕の重さ（Ｗ１、Ｗ２）を該抱き枕が支える位置（Ｐ２の位置）が肩から遠い位置（Ｌ１）となり、肩への負担（Ｐ１）が大きくなる。この状況は図１８に示した三角断面の抱き枕ではより顕著になる。更に、円形断面および三角形断面の抱き枕が上側の腕の重さを支える領域（同図中Ｐ２の近傍）の面積が小さいため、腕部の抱き枕に対する接触面圧力が大きくなり睡眠時の快適さを阻害する要因となる。
【０００６】
側臥位での休息あるいは睡眠の場合、仰臥位あるいは伏臥位に比べて、敷き布団やマットレスと身体との接触面積が小さいため、接触部の圧迫感がより顕著に感じられることが多くなる。その圧迫感を解消するため、側臥位での両肩を結ぶ線が水平面（あるいは敷き布団の上面）に対する角度（図６中αで示す）が、直角（正側臥位）、鋭角（伏臥位気味側臥位）、鈍角（仰臥位気味側臥位）となるように随時姿勢替えを要する場合がある。この姿勢替えの際に、それぞれの姿勢に適する高さに調整可能な機能を有する抱き枕があれば、高さの異なる複数の抱き枕を準備する必要がなく簡便である。従来の抱き枕ではそうした姿勢替えに対応可能な抱き枕は見当たらない。
【先行技術文献】
【特許文献】
【０００７】
【特許文献１】特開2004-160068
【特許文献２】特開2014-158604
【発明の開示】
【発明が解決しようとする課題】
【０００８】
上述したように、本発明は、側臥位での休息あるいは睡眠時に胸部、腹部や腕部の圧迫感を与えず、側臥位姿勢の小変化に適合した快適な高さおよび間隔を持続的に安定して与え得る側臥位用抱き枕を提供することを課題とする。
【０００９】
そして、右側臥位から左側臥位へあるいはこの逆への寝返りが容易にできると共に寝返り後もその側臥位姿勢に適合した快適な高さおよび間隔を持続的に安定して与え得る側臥位用抱き枕を提供することを課題とする。
【課題を解決するための手段】
【００１０】
請求項１に係る本発明は、外形が略六面体状の側臥位用抱き枕であって、該側臥位用抱き枕が少なくとも相交わる３辺の長さが異なる辺を有すると共に直方体状又は台形六面体状又は菱形六面体状又は菱形・台形六面体状に近似した形状体であり、該側臥位用抱き枕の外面部が少なくとも一時的に変形可能な柔軟材で構成されていることを特徴とする側臥位用抱き枕である。  
【００１１】
請求項２に係る本発明は、該側臥位用抱き枕の少なくとも相対向する２面に圧縮応力が作用するときに圧縮応力が作用しない面が外側方向に突出変形することを抑制する突出変形抑制手段を備えることを特徴とする請求項１に記載の側臥位用抱き枕である。
【００１２】
請求項３に係る本発明は、該側臥位用抱き枕が内部に流体を充填可能なバルーン体構造を有する第１側臥位用抱き枕又は所定の剛性を有する内部コア体と柔軟外面部との組合せ構造を有すると共に該所定の剛性を有する内部コア体と柔軟外面部の外形状が略相似形をなし更にそれぞれの相似する６対の面が互いに平行となる相対姿勢を有する第２側臥位用抱き枕又は該略六面体の８個の頂点の相対位置を少なくとも一時的に固定可能である少なくとも４個の棒状体を含み該棒状体の緩衝部材が付設された端部によって規定される８個の頂点位置を内包する柔軟性を有する膜体、布体、網体のいずれかである外面包容体の組合せ構造を含んで構成される第３側臥位用抱き枕又は所定の剛性を有する内部コア体と該所定の剛性を有する内部コア体を内包し柔軟性を有する膜体、布体、網体のいずれかである外面包容体と該所定の剛性を有する内部コア体の外面と該外面包容体の内面との間に充填される柔軟性を有するクッション材とを含んで構成される第４側臥位用抱き枕のいずれかであって、該第１側臥位用抱き枕に適用される突出変形抑制手段が３対の相対向する２面間を連結する少なくとも各１個の紐状あるいは帯状などの連結体である第１突出変形抑制手段であり、該第２側臥位用抱き枕の６個の所定の剛性を有する内部コア体外面とそのそれぞれに近接する柔軟外面部外面間をそれぞれ連結する少なくとも各１個の紐状あるいは帯状などの連結体である第２突出変形抑制手段、該柔軟外面部の１２個の辺および８個の頂点を該柔軟外面部の厚さに近い大きさの大面取りを設けると共に該所定の剛性を有する内部コア体の１２個の辺および８個の頂点に該大面取りの１／５以下の小面取りあるいは小Ｒ面取りを設ける第３突出変形抑制手段、該所定の剛性を有する内部コア体の８個のそれぞれの頂点に該柔軟外面部の外面に露出しない高さを有すると共に剛性を有する突起を設ける第４突出変形抑制手段のいずれかであり、該第３側臥位用抱き枕に適用される突出変形抑制手段が該外面包容体に通気性を付与させることである第５突出変形抑制手段であり、該第４側臥位用抱き枕に適用される突出変形抑制手段が６個の所定の剛性を有する内部コア体外面とそのそれぞれに近接する外面包容体の間を６個の面毎に仕切る仕切り部材を設ける第６突出変形抑制手段であることを特徴とする請求項２に記載の側臥位用抱き枕である。
【００１３】
請求項４に係る本発明は、該側臥位用抱き枕を把持し該側臥位用抱き枕の位置および姿勢を変更する把持部材を該側臥位用抱き枕の外面に少なくとも６個設けたことを特徴とする請求項１ないし３のいずれかに記載の側臥位用抱き枕である。
【発明の効果】
【００１４】
本発明による側臥用抱き枕の外面をなす六面は全て略平面であり、どの面を下面、すなわち略平らな上面を有する敷き布団、マットレスあるいは床と接する面として使用することが出来る。該側臥用抱き枕の下面と該敷き布団などとの接触面では略平面同士の接触状態となる。このため、該敷き布団などの上に該側臥用抱き枕を置いて使用中に該側臥用抱き枕が転倒したり横にずれたりすることなく安定してその姿勢および機能を持続することが可能である。該接触面が広くその面における摩擦抵抗のため使用中に該側臥用抱き枕が横にずれたり鉛直軸周りに回転したりすることなくその位置、姿勢および機能を持続することが可能である。
【００１５】
本発明による該側臥位用抱き枕が少なくとも相交わる３辺の長さが異なる辺を有する。このため、六面のうちのどの面を下面として使用するかを選択することにより、該側臥位用抱き枕の辺の高さを広範囲に選択可能である。
【００１６】
本発明の側臥位用抱き枕の外面部を柔軟で弾性を有する薄いゴム膜体の内部に適量の空気を充填して弾力性を有するバルーン体構造の側臥位用抱き枕を構成することが出来る。この構成の側臥位用抱き枕は軽量とすることが出来るため、使用中にその位置や姿勢を変更したり、該側臥位用抱き枕を抱えて寝返りを打つことも容易となる。
【発明を実施するための形態】
【００１７】
以下、図を参照しながら実施例について説明する。
図１に本発明による側臥位用抱き枕１の基本構成の例を説明する。該側臥位用抱き枕１は外形が略六面体状であって、該側臥位用抱き枕１が少なくとも相交わる３辺の長さが異なる辺を有する。該側臥位用抱き枕１の外形は直方体状又は台形六面体状又は菱形六面体状又は菱形・台形六面体状に近似した形状体である。該側臥位用抱き枕の外面部３は少なくとも一時的に変形可能な柔軟材で構成されている。このため使用中該側臥用抱き枕の上面と上側の腕との接触面積が広くなるため、上側の腕の重量によって生ずる両者の接触面における接触面圧が低くなり、接触面領域での上側の腕の圧迫感を低減することが出来る。図１、２、３、４はそれぞれ直方体状、台形六面体状、菱形六面体状、菱形・台形六面体状の側臥位用抱き枕の例を示している。図１〜４は内部に流体を充填可能なバルーン体構造を有する第１側臥位用抱き枕１１の略外形を示している。８個の頂点がＲ面取りされていてもよい。該第１側臥位用抱き枕の外面部を柔軟で弾性および気密性を有する薄いゴム膜体とすることが出来る。このゴム膜体の内部に適量の空気を充填して弾力性を有する側臥位用抱き枕を構成することが出来る。この構成の側臥位用抱き枕は軽量とすることが出来るため、使用中にその位置や姿勢を変更したり、該側臥位用抱き枕を抱えて寝返りを打つことも容易となる。また、この構成の側臥位用抱き枕の外面部に空気を注入したり排出する注排気口を設けることにより、不使用時には空気を排出させて折畳んでコンパクトにすることが出来るため、携行して宿泊先などで使用することが出来る。
【００１８】
図５に本発明による側臥位用抱き枕１の使用方法の例を示す。敷き布団１９あるいはマットレスなどの上に側臥位の姿勢の身体１８と点線で示す側臥位用抱き枕１の位置関係を示している。該側臥位用抱き枕１の上面は上側の腕の付け根から指先まで広い範囲で上側の腕を支えているため上側の腕に圧迫感を与えない。該側臥位用抱き枕１の下面が広いので使用中に該側臥位用抱き枕１が移動したり転倒したりする恐れが少ないため側臥位の姿勢を安定して継続することが出来る。
【００１９】
図６に本発明による側臥位用抱き枕１の使用方法の例を示す。側臥位での両肩を結ぶ線が水平面（あるいは敷き布団１９の上面）に対する角度（図６中αで示す）は、直角（正側臥位）、鋭角（伏臥位気味側臥位）、鈍角（仰臥位気味側臥位）である場合があり得る。図５、６はそれぞれ正側臥位、仰臥位気味側臥位の例を示している。外形が台形六面体状、菱形六面体状、菱形・台形六面体状の側臥位用抱き枕１であれば、下面の６通りの選択と胸部に近い側面の４通りの選択を組み合わせることにより、上側の腕の付け根に近接する該側臥用抱き枕の辺の高さを最大２４段階と広範囲に選択可能であり、伏臥位気味側臥位および仰臥位気味側臥位姿勢などにおいても側臥位用抱き枕の上面に載置される上側の腕の圧迫感と該側臥位用抱き枕の側面が接触することによる胸部あるいは／および腹部の圧迫感を生ずることなく快適な側臥位姿勢を安定して維持することが出来る。
【００２０】
図７に本発明による第２側臥位用抱き枕１２の基本構成の例を説明する。所定の剛性を有する内部コア体４と柔軟外面部５との組合せ構造を有すると共に該所定の剛性を有する内部コア体と柔軟外面部の外形状が略相似形をなし更にそれぞれの相似する６対の面が互いに平行となる相対姿勢を有する第２側臥位用抱き枕１２である。この構成の該第２側臥位用抱き枕１２は柔軟外面部５の厚さを略均一とすることが出来る。このため、六面のうちのどの面を上面として使用しても載置される上側の腕の該第２側臥位用抱き枕１２との接触感を一定にすることが出来る。所定の剛性を有する内部コア体４としては六面体としての形状を維持させるために必要な剛性を有する構造とする。更に、所定の剛性を有する内部コア体４としては軽量構造であることが望ましい。これらの要求を考慮して、所定の剛性を有する内部コア体４の構造例としては、プラスチックなど軽量素材の多孔体やハニカム構造体やパンチ孔を有する薄板殻構造あるいは竹編み構造などが適合する。柔軟外面部５としては、ゴムスポンジなどが適用され得る。例えば、Asker C  硬度で２〜３０のゴムスポンジが適する。
【００２１】
図８に本発明による第３側臥位用抱き枕１３の基本構成の例を説明する。該略六面体の８個の頂点の相対位置を少なくとも一時的に固定可能である少なくとも４個の棒状体６を含み該棒状体の緩衝部材が付設された端部によって規定される８個の頂点位置を内包する柔軟性を有する膜体、布体、網体のいずれかである外面包容体８の組合せ構造を含んで構成される第３側臥位用抱き枕１３である。該第３側臥位用抱き枕１３は一つの辺を共有する２個の頂点を該略六面体の中央部を経由して連結する彎曲あるいは屈曲した所定の剛性を有する棒状体４個を含んで構成される。この４個の棒状体６を該略六面体の中央部で少なくとも一時的に固定することにより該略六面体の８個の頂点の相対位置が該４個の棒状体６の両端部によって規定される。該４個の棒状体６の両端部に緩衝部材７を付設する。この状態で緩衝部材７が付設された４個の棒状体６全体を膜体、布体、網体のいずれかである柔軟性を有する外面包容体８で覆う。該４個の棒状体６の両端部に付設された緩衝部材７は該外面包容体８の使用中の摩滅防止を目的としており、その素材としては柔軟性のゴムスポンジなどが好ましい。該外面包容体８の８個の頂点近傍には該緩衝部材７の形状に適合した形状のＲ面取りが設けられてもよい。該第３側臥位用抱き枕全体を軽量化するために、棒状体６としてはプラスチック、アルミニウム合金などの管材などが好ましい。４個の棒状体６を該略六面体の中央部で固定するために接着、溶接などの接合手段を用いてもよい。該略六面体の８個の頂点の相対位置を少なくとも一時的に固定可能である８個の棒状体６を該略六面体の中央部で固定する構造としてもよい。４個あるいは８個の棒状体６を該略六面体の中央部で一時的に固定するために付加的な連結固定部材を用いてもよい。該連結固定部材の脱着作業のために手指を該略六面体の中央部に挿入することを可能とする少なくとも１個の挿入開口を該外面包容体に設けてもよい。該連結固定部材により組立・分解可能な構造とすることで、不使用時に４個の棒状体を束ねてはコンパクトに出来るため、携行して宿泊先などで使用することが出来る。該第３側臥位用抱き枕１３の外面部は柔軟性を有する膜体、布体、網体のいずれかである外面包容体８で覆われているため、使用時に該第３側臥位用抱き枕１３の上面に上側の腕がその自重により沈み込む状態で載置されるため、上側の腕の圧迫感が軽減されると共に該上面が傾斜していても上側の腕がずれ落ちることがない。該第３側臥位用抱き枕１３を使用する際に、下側の腕を圧迫感なく該第３側臥位用抱き枕１３の下面と敷き布団1の間に挿入することが出来る。
【００２２】
図９に本発明による第４側臥位用抱き枕１４の基本構成の例を説明する。所定の剛性を有する内部コア体と該所定の剛性を有する内部コア体４を内包し柔軟性を有する膜体、布体、網体のいずれかである外面包容体８と該所定の剛性を有する内部コア体の外面と該外面包容体の内面との間に充填される柔軟性を有するクッション材９とを含んで構成される第４側臥位用抱き枕１４である。所定の剛性を有する内部コア体４と外面包容体８のそれぞれの特徴、効果については既述した。該第４側臥位用抱き枕１４は該所定の剛性を有する内部コア体４の外面と該外面包容体８の内面との間に柔軟性を有するクッション材９を充填させることにより、該第１〜３側臥位用抱き枕とは異なる外面部の柔軟性や肌さわり感を付与させたことを特徴とする。該第４側臥位用抱き枕１４のクッション材９としてはウレタンフォームなどの低反発発泡体、チップ材、PPT繊維、綿、ポリエステルなどのビーズ小粒子体などが適合する。使用時に粒子状クッション材の相対位置が載置される腕の形状に合わせて変化し得るので腕の圧迫感が軽減される。
【００２３】
図１０に本発明によるバルーン体構造を有する該第１側臥位用抱き枕１１に適用される第１突出変形抑制手段２１の基本構成の例を説明する。該第１突出変形抑制手段２１は３対の相対向する２面間を連結する少なくとも各１個の紐状あるいは帯状などの連結体である。該第１側臥位用抱き枕１１の３対の相対向する２面間を少なくとも各１個の紐状あるいは帯状などの低い曲げ剛性と所定の引張り抵抗性を有する連結体２１で連結されているため、使用時に載置される上側の腕の自重によって該第１側臥位用抱き枕１１の上面が凹む変形が阻害されることなく、該第１側臥位用抱き枕１１の側面が突出することを抑制することが出来る。この第１突出変形抑制手段２１の効果として、該第１側臥位用抱き枕１１の上面に載置される上側の腕の圧迫感と該第１側臥位用抱き枕１１の側面が突出することによる胸部あるいは／および腹部の圧迫感を生ずることなく快適な側臥位姿勢を安定して維持することが出来る。
【００２４】
図１１に本発明による所定の剛性を有する内部コア体４と柔軟外面部５との組合せ構造を有すると共に該所定の剛性を有する内部コア体と柔軟外面部の外形状が略相似形をなし更にそれぞれの相似する６対の面が互いに平行となる相対姿勢を有する該第２側臥位用抱き枕１２に適用される第２突出変形抑制手段２２の基本構成の例を説明する。所定の剛性を有する内部コア体４と柔軟外面部５との組合せ構造を有すると共に該所定の剛性を有する内部コア体４と柔軟外面部５の外形状が略相似形をなし更にそれぞれの相似する６対の面が互いに平行となる相対姿勢を有する該第２側臥位用抱き枕１２の６個の所定の剛性を有する内部コア体外面とそのそれぞれに近接する柔軟外面部外面間をそれぞれ連結する少なくとも各１個の紐状あるいは帯状などの連結体である第２突出変形抑制手段２２である。該連結体の特徴および効果は、該第１突出変形抑制手段とほぼ同様である。
【００２５】
図１２に本発明による所定の剛性を有する内部コア体４と柔軟外面部５との組合せ構造を有すると共に該所定の剛性を有する内部コア体４と柔軟外面部５の外形状が略相似形をなし更にそれぞれの相似する６対の面が互いに平行となる相対姿勢を有する該第２側臥位用抱き枕１２に適用される第３突出変形抑制手段２３の基本構成の例を断面図で説明する。所定の剛性を有する内部コア体４と柔軟外面部５との組合せ構造を有すると共に該所定の剛性を有する内部コア体４と柔軟外面部５の外形状が略相似形をなし更にそれぞれの相似する６対の面が互いに平行となる相対姿勢を有する該第２側臥位用抱き枕１２の該柔軟外面部５の１２個の辺および８個の頂点を該柔軟外面部５の厚さに近い大きさの大面取り１５を設けると共に該所定の剛性を有する内部コア体４の１２個の辺および８個の頂点に該大面取りの１／５以下の小面取り１６あるいは小Ｒ面取り１７を設ける第３突出変形抑制手段２３である。該第２側臥位用抱き枕１２の所定の剛性を有する内部コア体４は使用中ほとんど変形せず上面と下面の柔軟外面部５が少なくとも部分的に圧縮変形する。その際、上面と下面のそれぞれ４辺近傍の柔軟外面部５には該柔軟外面部の厚さに近い大きさの大面取り１５が設けられていると共に該内部コア体には小面取り１６あるいは小Ｒ面取り１７が設けられており、上面と下面のそれぞれ４辺近傍の柔軟外面部５の厚さを薄くしている。このため、上面と下面の柔軟外面部５の圧縮変形は側面の柔軟外面部５にほとんど影響を及ぼさない。言い換えれば、第３突出変形抑制手段２３を設けた第２側臥位用抱き枕１２は使用時に、上面および下面の柔軟外面部５は腕や敷き布団などの形状に沿った変形をする一方で、その側面の柔軟外面部５がほとんど変形しないので、該第２側臥位用抱き枕１２の上面に載置される上側の腕の圧迫感と該第２側臥位用抱き枕１２の側面が突出することによる胸部あるいは／および腹部の圧迫感を生ずることなく快適な側臥位姿勢を安定して維持することが出来る。
【００２６】
図１３に本発明による所定の剛性を有する内部コア体４と柔軟外面部５との組合せ構造を有すると共に該所定の剛性を有する内部コア体４と柔軟外面部５の外形状が略相似形をなし更にそれぞれの相似する６対の面が互いに平行となる相対姿勢を有する該第２側臥位用抱き枕１２に適用される第４突出変形抑制手段２４の基本構成の例を説明する。所定の剛性を有する内部コア体４と柔軟外面部５との組合せ構造を有すると共に該所定の剛性を有する内部コア体４と柔軟外面部５の外形状が略相似形をなし更にそれぞれの相似する６対の面が互いに平行となる相対姿勢を有する第２側臥位用抱き枕１２の該所定の剛性を有する内部コア体４の８個のそれぞれの頂点に該柔軟外面部５の外面に露出しない高さを有すると共に剛性を有する突起２４を設ける第４突出変形抑制手段２４である。該第２側臥位用抱き枕１２の使用中にその上面の柔軟外面部５の４個の頂点には剛性を有する突起２４が設けられているため、載置された上側の腕の近傍の柔軟外面部の圧縮変形の影響が側面の柔軟外面部５に及ぶことが低減する。すなわち、第４突出変形抑制手段２４を設けた第２側臥位用抱き枕１２は使用時に、上面および下面の中央部付近の柔軟外面部５は腕や敷き布団などの形状に沿った変形をする一方で、その側面の柔軟外面部５がほとんど変形しないので、該第２側臥位用抱き枕１２の上面に載置される上側の腕の圧迫感と該第２側臥位用抱き枕の側面が突出することによる胸部あるいは／および腹部の圧迫感を生ずることなく快適な側臥位姿勢を安定して維持することが出来る。
【００２７】
図８に本発明による第３側臥位用抱き枕１３に適用される第５突出変形抑制手段２５の基本構成の例を説明する。該第３側臥位用抱き枕１３の外面包容体８の内部には少なくとも緩衝部材が付設された４個の棒状体６が含まれ、その外に付加的に連結固定部材が組み込まれ得る。その２種の内部構成体以外の内部空間は流体あるいはクッション材などが充填されていてもよい。該内部空間に空気が充填される場合、該面包容体８が通気性のない膜体で構成されていると、使用時に該第３側臥位用抱き枕１３の上面と下面の中央部が圧縮変形する。このときに、充填されている内部空間の空気の圧力は上面と下面の中央部の圧縮変形の度合いに応じて上昇する。この圧力上昇の度合いに応じて該第３側臥位用抱き枕１３の側面は突出変形する。該第３側臥位用抱き枕１３の該外面包容体８に通気性を付与させることで内部空間の空気の圧力上昇を防止できる。すなわち、第５突出変形抑制手段２５を設けた第３側臥位用抱き枕１３の使用中に内部空間の空気の圧力上昇が起らないため、第３側臥位用抱き枕１３の側面の突出変形が起らず、該第３側臥位用抱き枕１３の上面に載置される上側の腕の圧迫感と該第３側臥位用抱き枕の側面が突出することによる胸部あるいは／および腹部の圧迫感を生ずることなく快適な側臥位姿勢を安定して維持することが出来る。
【００２８】
図１４に本発明による第４側臥位用抱き枕１４に適用される第６突出変形抑制手段２６の基本構成の例を断面図で説明する。所定の剛性を有する内部コア体４と該所定の剛性を有する内部コア体を内包し柔軟性を有する膜体、布体、網体のいずれかである外面包容体８と該所定の剛性を有する内部コア体の外面と該外面包容体の内面との間に充填される柔軟性を有するクッション材９とを含んで構成される第４側臥位用抱き枕１４に適用される突出変形抑制手段２６が６個の所定の剛性を有する内部コア体外面とそのそれぞれに近接する外面包容体の間を６個の面毎に仕切る仕切り部材を設ける第６突出変形抑制手段２６である。該所定の剛性を有する内部コア体４の外面と該外面包容体８の内面との間に充填させたクッション材９が離散性の粒子の集合体であった場合、該第４側臥位用抱き枕１４の使用時にその上面および下面の内部コア体４の外面と該外面包容体８の内面との間の該粒子が移動し上面および下面の柔軟外面部は腕や敷き布団などの形状に沿って窪みを形成するように変形する。そのとき、該クッション材９の全体の体積の変化が少なくなるように粒子が移動する傾向がある。このため、上面および下面に形成される窪み変形の体積に応じて側面が突出変形する。６個の所定の剛性を有する内部コア体外面とそのそれぞれに近接する外面包容体の間を６個の面毎に仕切る仕切り部材を設ける第６突出変形抑制手段２６の効果として、該仕切り部材が該粒子の移動を制限させるため上面および下面に形成される窪み変形の影響による側面の突出変形を抑制するので該第４側臥位用抱き枕１４の上面に載置される上側の腕の圧迫感と該第４側臥位用抱き枕１４の側面が突出することによる胸部あるいは／および腹部の圧迫感を生ずることなく快適な側臥位姿勢を安定して維持することが出来る。
【００２９】
図１５に本発明による側臥位用抱き枕１に適用される把持部材１０の基本構成の例を説明する。該側臥位用抱き枕１を把持し該側臥位用抱き枕１の位置および姿勢を変更する把持部材１０を該側臥位用抱き枕１の外面に少なくとも６個設けたことを特徴とする請求項１ないし３のいずれかに記載の側臥位用抱き枕である。把持部材１０を該側臥位用抱き枕１の外面に少なくとも６個設けたために、該側臥位用抱き枕１を使用中にその位置および姿勢を変更することが容易となる。該把持部材１０としては、該側臥位用抱き枕１を把持して位置および姿勢を変更することが出来ればどのような形態、材質などでもよい。例えば、ズボンのベルトを通すベルトループのように両端部のみを縫い付け中央部に指を差し入れられるようにしたものなどが好ましい。該側臥位用抱き枕１を様々な姿勢や位置で使用することを容易にするために該側臥位用抱き枕の外面に該把持部材を少なくとも６個設けることが好ましい。
【００３０】
図１６に本発明による側臥位用抱き枕１を側臥位用背枕２０としても使用できる基本構成の例を説明する。図に示すように仰臥位気味側臥位である場合に側臥位用抱き枕１に加えて側臥位用背枕２０として背中を支えることにより仰臥位気味側臥位の姿勢を更に安定して維持することが出来る。側臥位用背枕２０としては特に台形六面体状又は菱形六面体状又は菱形・台形六面体状が安定して適用できる。該側臥位用背枕２０を単独で使用してもよい。また、該側臥位用背枕２０を半座位の背もたれとして利用することも出来る。
【図面の簡単な説明】
【００３１】
【図１】本発明による請求項１の基本構成の説明図である。
【図２】本発明による請求項１の基本構成の説明図である。
【図３】本発明による請求項１の基本構成の説明図である。
【図４】本発明による請求項１の基本構成の説明図である。
【図５】本発明による側臥用抱き枕の使用例の説明図である。
【図６】本発明による側臥用抱き枕の使用例の説明図である。
【図７】本発明による請求項３の構成の説明図である。
【図８】本発明による請求項３の構成の説明図である。
【図９】本発明による請求項３の構成の説明図である。
【図１０】本発明による請求項２、３の突出変形抑制手段の説明図である。
【図１１】本発明による請求項２、３の突出変形抑制手段の説明図である。
【図１２】本発明による請求項２、３の突出変形抑制手段の説明図である。
【図１３】本発明による請求項２、３の突出変形抑制手段の説明図である。
【図１４】本発明による請求項２、３の突出変形抑制手段の説明図である。
【図１５】本発明による請求項４の構成の説明図である。
【図１６】本発明による側臥用抱き枕の使用例の説明図である。
【図１７】従来技術としての抱き枕の使用例の説明図である。
【図１８】従来技術としての抱き枕の使用例の説明図である。
【図１９】従来技術としての抱き枕の使用例の説明図である。
【図２０】従来技術としての抱き枕の使用例の説明図である。
【符号の説明】
【００３２】
１  側臥位用抱き枕
２  突出変形抑制手段
３  外面部
４  内部コア体
５  柔軟外面部
６  棒状体
７  緩衝部材
８  外面包容体
９  クッション材
１０  把持部材
１１  第１側臥位用抱き枕
１２  第２側臥位用抱き枕
１３  第３側臥位用抱き枕
１４  第４側臥位用抱き枕
１５  大面取り
１６  小面取り
１７  小Ｒ面取り
１８  身体
１９  敷き布団あるいはマットレス
２０  側臥位用背枕
２１  第１突出変形抑制手段
２２  第２突出変形抑制手段
２３  第３突出変形抑制手段
２４  第４突出変形抑制手段
２５  第５突出変形抑制手段
２６  第６突出変形抑制手段
２７  従来の抱き枕
【図１】
2020124371.tif 000003
【図２】
2020124371.tif 000004
【図３】
2020124371.tif 000005
【図４】
2020124371.tif 000006
【図５】
2020124371.tif 000007
【図６】
2020124371.tif 000008
【図７】
2020124371.tif 000009
【図８】
2020124371.tif 000010
【図９】
2020124371.tif 000011
【図１０】
2020124371.tif 000012
【図１１】
2020124371.tif 000013
【図１２】
2020124371.tif 000014
【図１３】
2020124371.tif 000015
【図１４】
2020124371.tif 000016
【図１５】
2020124371.tif 000017
【図１６】
2020124371.tif 000018
【図１７】
2020124371.tif 000019
【図１８】
2020124371.tif 000020
【図１９】
2020124371.tif 000021
【図２０】
2020124371.tif 000022